(57)【要約】      （修正有）【課題】掘削機の後方視野を確保するサイドミラーを建設機械の構造物に回動可能に固定するボールジョイントの部品をサイドミラーの外側に位置するように装着し、締結ボルトの弛緩又ギャップを確認してメンテナンスするサイドミラー固定手段を備えた建設機械の提供。【解決手段】サイドミラー固定手段を備えた建設機械は、下部走行体と、旋回可能に搭載される上部フレームと、その前方及び後方に装着される運転室及びエンジン室と、上部フレームに回動可能に連結され、油圧シリンダにより駆動されるブーム、アーム及びバケットからなる作業装置と、上部フレームの後方に装着されるカウンタウェイトと、後方視野を確保するために用いられるサイドミラー１４と、それを前方構造物に回動可能に固定するボールジョイント１３がサイドミラーの外側に位置するようにサイドミラーをボールジョイントのボール外側面に回動可能に固定する固定手段２３，２５とを包含する。【選択図】図４
2009166834.tif 000002
【特許請求の範囲】
【請求項１】
下部走行体と、
下部走行体の上に旋回可能に搭載される上部フレームと、
前記上部フレームの前方及び後方に装着される運転室及びエンジン室と、
前記上部フレームに回動可能に連結され、それぞれの油圧シリンダにより駆動されるブーム、アーム及びバケットからなる作業装置と、
前記上部フレームの後方に装着され、作業時、機械の均衡を保持するカウンタウェイトと、
運転者が機械の後方視野を確保し得るように用いられるサイドミラーと、
前記サイドミラーを機械の前方構造物に回動可能に固定するボールジョイントと、
前記ボールジョイントのボールがサイドミラーの外側に位置するようにサイドミラーをボールジョイントのボール外側面に回動可能に固定する固定手段とを包含することを特徴とするサイドミラー固定手段を備えた建設機械。
【請求項２】
前記固定手段は、
流線型のミラーを支持するフレームの内側面に装着され、ボールジョイントのボールを支持するように凹溝が形成されている第１プレートと、
前記第１プレートの内側面に固定されている締結ナットと、
前記第１プレートに対してボールジョイントのボールを加圧支持する第２プレートと、
前記第１、２プレートによりボールジョイントのボールを回動可能に支持し得るように第１、２プレートを貫通して締結ナットに固定される締結ボルトとを含めることを特徴とする請求項１に記載のサイドミラー固定手段を備えた建設機械。
【請求項３】
前記固定手段は、前記締結ボルトの締結力を増大させることができるように前記第１、２プレート間に介在して固定されるスペーサをさらに包含することを特徴とする請求項２に記載のサイドミラー固定手段を備えた建設機械。
【請求項４】
前記ボールジョイントは、前記上部フレームに装着されるミラーステーに固定されることを特徴とする請求項１又は２に記載のサイドミラー固定手段を備えた建設機械。
【発明の詳細な説明】
【技術分野】
【０００１】
本発明は、運転者が掘削機などの後方視野を確保し得るように建設機械の側面に回動可能に取り付けられて用いられるサイドミラーの固定手段を備えた建設機械に関する。
【０００２】
詳述すれば、サイドミラーを建設機械の構造物に回動可能に固定支持するボールジョイントのボール及びそれを支持する部品をサイドミラーの外側に位置するようにして装着し、締結ボルトの弛緩又ギャップの発生を目で確認してメンテナンスを容易に行えるようにしたサイドミラー固定手段を備えた建設機械に関する。
【背景技術】
【０００３】
図１に示したように、従来技術によるサイドミラー固定手段を備えた建設機械は、
下部走行体１と、
下部走行体１の上に旋回可能に搭載される上部フレーム２と、
上部フレーム２の前方及び後方にそれぞれ装着される運転室３及びエンジン室４と、
前記上部フレーム２に回動可能に連結され、それぞれの油圧シリンダ８、９、１０により駆動されるブーム５、アーム６及びバケット７からなる作業装置１１と、
上部フレーム２の後方に装着され、作業時、機械の均衡を保持するカウンタウェイト１２と、
運転者が機械の後方視野を確保し得るように建設機械の前方の構造物(一例で、ミラーステー２６をいう)に固定されているボールジョイント１３により回動可能に装着されるサイドミラー１４とを包含する。
【０００４】
従来技術によるサイドミラー固定手段は、流線型のミラー１５及びこれを支持するフレーム１６と、
ミラー１５及びフレーム１６の周縁を取り囲んで包み込むリング状のパッキング１７と、
サイドミラー１４を建設機械構造物に回動可能に固定支持するボールジョイント１３と、
フレーム１６の内側にボールジョイント１３のボール外側面を回動可能に取り囲んで支持する一対のホルダー１９と、
ホルダー１９をフレーム１６に固定する締結ボルト２０とを含める。
【０００５】
従来技術のサイドミラー固定手段は、前述したサイドミラー１４の内側にボールジョイント１３のボールが回動可能に組み合わせられているので、締結ボルト２０の弛緩又はギャップの発生を目で直接確認することができなかった。つまり、締結ボルト２０の締結力(ｔｏｒｑｕｅ、トルク)が弱い場合(締結ボルト２０が完全に締め付けられていない状態をいう)、締結ボルト２０の頭部とフレーム１６の外側面との間に隙間が生じることになる。
【０００６】
このため、走行中又は作業中に伝わる衝撃、振動又は応力、サイドミラー１４そのものの揺れなどに起因して、サイドミラー１４を固定する締結ボルト２０が弛緩されて離脱したり、或いはボールジョイント１３に対するサイドミラー１４の固定部位が容易に破損してしまう虞があった。
【０００７】
また、ボールジョイント１３のボールを回動可能に支持し得るようにホルダー１９を締結ボルト２０によりフレーム１６に固定する場合、締結ボルト２０を締め付けるトルクを増大させると、強度の弱い薄板のフレーム１５が壊されて陥没されたり、破損されたりする危険性がある。
【発明の概要】
【発明が解決しようとする課題】
【０００８】
本発明の実施例は、サイドミラーを建設機械構造物に回動可能に固定するためのボールジョイントのボール及びこれを支持する部品をサイドミラーの外側に位置するようにして装着することによって、締結ボルトの弛緩又はギャップの発生を目で確認することができるようにしたサイドミラー固定手段を備えた建設機械に係る。
【０００９】
また、本発明の実施例は、サイドミラーを固定する締結部材のトルクを増大させることによって、作業中に伝わる衝撃、振動、応力などによる締結部材の弛緩時にサイドミラーの固定部位が破損することを防止できるようにしたサイドミラー固定手段を備えた建設機械に係る。
【課題を解決するための手段】
【００１０】
本発明の実施例によるサイドミラー固定手段を備えた建設機械は、
下部走行体と、
下部走行体の上に旋回可能に搭載される上部フレームと、
上部フレームの前方及び後方にそれぞれ装着される運転室及びエンジン室と、
上部フレームに回動可能に連結され、それぞれの油圧シリンダにより駆動されるブーム、アーム及びバケットからなる作業装置と、
上部フレームの後方に装着され、作業時、機械の均衡を保持するカウンタウェイトと、
運転者が機械の後方視野を確保し得るように用いられるサイドミラーと、
サイドミラーを機械の前方構造物に回動可能に固定するボールジョイントと、
ボールジョイントのボールがサイドミラーの外側に位置するようにサイドミラーをボールジョイントのボール外側面に回動可能に固定する固定手段とを包含する。
【００１１】
望ましい実施例によれば、前述したボールジョイントは、上部フレームに装着のミラーステーに固定されることができる。
【００１２】
前述した固定手段は、流線型のミラーを支持するフレームの内側面に装着され、ボールジョイントのボールを支持するように凹溝が形成されている第１プレートと、
第１プレートの内側面に固定される締結ナットと、
第１プレートに対してボールジョイントのボールを加圧支持する第２プレートと、
第１、２プレートによりボールジョイントのボールを回動可能に支持し得るように第１、２プレートを貫通して締結ナットに螺合される締結ボルトとを包含する。
【００１３】
前述した固定手段は、締結ボルトの締結力を増大させることができるように、第１、２プレート間に介在して固定されるスペーサをさらに包含することが可能である。
【発明の効果】
【００１４】
前述したように、本発明の実施例によるサイドミラー固定手段を備えた建設機械は、次のよう効果を奏し得る。
サイドミラーを回動可能に固定するボルトジョイントのボール及びこれを支持する部品をサイドミラーの外側に位置するようにして装着し、締結ボルトが弛緩したり、ギャップの発生が生じた場合、目で確認しながらメンテナンスを施すことにより、作業中に伝わる衝撃、振動、応力などによりサイドミラーの固定部位が破損することを防止できる。
【００１５】
また、サイドミラーを固定する締結ボルトのトルクを増大するにつれて、建設機械から伝わる衝撃、振動又はサイドミラーそのものの揺れなどにより締結ボルトの弛緩又はギャップが発生することを防止できる。
【００１６】
さらに、締結ボルトのトルクを増大させる場合にも、構造的に弱い薄板のフレームが壊されることにより陥没されたり、破損されたりすることが防止できるので、サイドミラー固定手段の耐久性を向上させることができる。
【図面の簡単な説明】
【００１７】
【図１】従来技術によるサイドミラー固定手段を備えた建設機械の概略図である。
【図２】図１に図示のサイドミラー固定手段の断面図である。
【図３】図１に図示のサイドミラー固定手段の要部抜粋図である。
【図４】本発明の実施例によるサイドミラー固定手段の断面図である。
【図５】図４に示したサイドミラー固定手段の要部抜粋斜視図である。
【図６】図４に示したサイドミラー固定手段の使用状態図である。
【発明を実施するための形態】
【００１８】
以下、本発明の望ましい実施例を添付図面に基づいて説明するが、これは、本発明が属する技術分野において通常の知識を有する者が容易に実施し得る程度に詳細に説明するためのものであって、これら実施例に本発明の技術的思想及び範疇が限られることを意味するのではない。
【００１９】
図４ないし図６に示したように、本発明の実施例によるサイドミラー固定手段を備えた建設機械は、
下部走行体１と、
下部走行体１の上に旋回可能に搭載される上部フレーム２と、
上部フレーム２の前方及び後方に装着される運転室３及びエンジン室４と、
上部フレーム２に回動可能に連結され、それぞれの油圧シリンダ８、９、１０により駆動されるブーム５、アーム６及びバケット７からなる作業装置１１と、
上部フレーム２の後方に装着され、作業時、機械の均衡を保持するカウンタウェイト１２と、
運転室３内部の運転者が機械の後方視野を確保し得るように用いられるサイドミラー１４と、
サイドミラー１４を機械の前方構造物に回動可能に固定するボールジョイント１３と、
ボールジョイント１３のボール(球面体をいう)がサイドミラー１４の外側に位置するようにサイドミラー１４をボールジョイント１３のボール外側面に回動可能に固定する固定手段とを包含する。
【００２０】
前述した固定手段は、流線型のミラー１５を支持するフレーム１６の内側面に装着され、ボールジョイント１３のボールを支持するように凹溝２１が形成されている第１プレート２２と、
第１プレート２２の内側面に固定される締結ナット２３と、
第１プレート２２に対してボールジョイント１３のボールを加圧支持する第２プレート２４と、
第１、２プレート２２、２４によりボールジョイント１３のボールを回動可能に支持し得るように第１、２プレート２２、２４を貫通して締結ナット２３に螺合されるための締結ボルト２５とを含める。
【００２１】
図面には示されていないが、前述したボールジョイント１３は、上部フレーム２に装着のミラーステー２６に固定されることができる。
【００２２】
前述した固定手段は、締結ボルト２５の締結力を増大させることができるように第１、２プレート２２、２４間に介在して固定されるスペーサ２０をさらに包含することができる。
【００２３】
この際、前述したボールジョイント１３のボールが、サイドミラー１４の外側に位置するようにボールジョイント１３のボール外側面にサイドミラー１４を回動可能に固定する固定手段の構成を除いては、図１ないし図３に示した構成と実質的に同一に適用されるので、これらに対する詳しい説明は省略し、同じ構成要素には同じ図面符号を付する。
【００２４】
以下、本発明の実施例によるサイドミラー固定手段を備えた建設機械の使用例を添付図面に基づいて説明する。
図４及び図５に示したように、掘削機などの上部フレーム２の上に装着されるミラーステー２６のブラケット２６ａにボールジョイント１３のボディーが固定される。流線型のサイドミラー１４を形成するフレーム１６の内側面に第１プレート２２が取り付けられる(第１プレート２２の直径は、フレーム１６に形成の貫通孔の直径より大きく形成される)。この際、第１プレート２２の内側面に締結ナット２３が予め溶接により固定されている。
【００２５】
前述したボールジョイント１３のボールを第１プレート２２に形成の凹溝２１により支持した状態で、第２プレート２４によりボールジョイント１３のボールを加圧支持する。第１、２プレート２２、２４を貫通する締結ボルト２５を締結ナット２３に螺着することによって、ボールジョイント１３のボールに対してサイドミラー１４を回動可能に支持することができる。
【００２６】
この際、第１プレート２２の外側面に重なるように設けられているプレート２７によりボールジョイント１３のボールの回動が円滑になるように支持することができる。
【００２７】
したがって、前述した第１、２プレート２２、２４間に所定長さ(ボールジョイント１３のボールの直径によって長さが決定される)を有するスペーサ２０を介在して固定することによって、締結ボルト２５の締結力(ｔｏｒｑｕｅ)をさらに増大することができる。
【００２８】
これにより、作業中又は走行中、建設機械から伝わる衝撃、振動又はサイドミラー１４そのものの揺れなどにより締結ボルト２５が弛緩することを防止できる。
【００２９】
前述した締結ナット２３に螺合される締結ボルト２５の締結力を増大させる場合にも、構造的に脆弱な薄板のフレーム１６に締結ボルト２５のトルクが直接的に伝達されにくいので、薄板のフレーム１６が壊されて陥没されることを防止できる。
【００３０】
前述したボールジョイント１３のボールがサイドミラー１４のフレーム１６の外側面に回動可能に支持されることにより、締結ボルト２５の弛緩を使用者が目で確認することが可能である。即ち、振動などにより締結ボルト２５が弛緩されたり、又はギャップが生じられたりする場合、目で確認してメンテナンス(締結ボルト２５の弛緩有無を確認して再固定する)を施すことによって、作業中に伝わる衝撃、振動、応力などによりサイドミラー１４の固定部位が破損することを防止できる。
【符号の説明】
【００３１】
１３  ボールジョイント(ｂａｌｌ  ｊｏｉｎｔ)
１４  サイドミラー(ｓｉｄｅ  ｍｉｒｒｏｒ)
１５  ミラー
１６  フレーム
１７  パッキング
２０  スペーサ
２１  凹溝
２２  第１プレート
２３  締結ナット
２４  第２プレート
２５  締結ボルト
２６  ミラーステー
【図１】
2009166834.tif 000003
【図２】
2009166834.tif 000004
【図３】
2009166834.tif 000005
【図４】
2009166834.tif 000006
【図５】
2009166834.tif 000007
【図６】
2009166834.tif 000008